(57)【要約】【課題】ケーブルの敷設を容易にすることができるコンソールユニット、集合ユニット、及び統合システムを提供する。【解決手段】統合システム１は、モニタ、キーボード及びマウスで構成される複数のコンソール並びに複数の電話機をそれぞれ接続可能な複数のコンソールユニット１０１〜１０４と、複数のコンソールに電気的に接続されるＰＣ１２４〜１２７及び複数の電話機１０５〜１０８に対応する複数の電話線１２２に接続されると共にコンソールユニット１０１〜１０４を複合ケーブル１１３〜１１６及び電源ケーブル１１７〜１２０を介してディジーチェイン接続する集合ユニット１２１とを備えている。【選択図】図１
2010049370.tif 000002
【特許請求の範囲】
【請求項１】
モニタ、キーボード及びマウスで構成されるコンソール並びに電話機を接続可能なコンソールユニットであって、
複数の情報処理装置及び複数の電話線に接続される集合ユニットと遠隔通信を行う通信手段と、
前記集合ユニットに複合ケーブル及び電源ケーブルを介してディジーチェイン接続するための接続手段とを備えていることを特徴とするコンソールユニット。
【請求項２】
前記複合ケーブルは、複数のＬＡＮケーブル及び複数の電話線をまとめて１本に形成されていることを特徴とする請求項１に記載のコンソールユニット。
【請求項３】
前記コンソールユニットが接続される集合ユニットのポート番号を表示する表示手段を備えていることを特徴とする請求項１又は２に記載のコンソールユニット。
【請求項４】
前記コンソールユニットに対応する、前記集合ユニットに接続されている情報処理装置の電源のオン・オフを切り換える切換手段を備えることを特徴とする請求項１乃至３のいずれか１項に記載のコンソールユニット。
【請求項５】
ユーザの指紋を検出する指紋検出手段を備え、
前記通信手段は、前記指紋検出手段で検出された指紋データを、前記集合ユニットを介して対応する情報処理装置に送信することを特徴とする請求項１乃至４のいずれか１項に記載のコンソールユニット。
【請求項６】
外部機器に電力を供給するためのコンセントを備えていることを特徴とする請求項１乃至５のいずれか１項に記載のコンソールユニット。
【請求項７】
前記通信手段は、対応する情報処理装置からの多重化信号を復号化し、復号化された信号をＲＧＢ信号、水平同期信号及び垂直同期信号に分離する復号化回路と、前記集合ユニットに送信される信号が反射されて当該通信手段に入力されることを防止するエコーキャンセル回路と、前記マウス又は前記キーボードの操作信号を含む各種の信号を差動信号として前記集合ユニットとの間で送信又は受信する送受信回路と、前記マウス又は前記キーボードと前記送受信回路との間で信号のＵＳＢ転送を実行するＵＳＢ遠隔コア回路と、前記復号化回路、前記エコーキャンセル回路、前記送受信回路及び前記ＵＳＢ遠隔コア回路の動作を制御する制御手段とを備えることを特徴とする請求項１乃至６のいずれか１項に記載のコンソールユニット。
【請求項８】
複数の情報処理装置及び複数の電話線に接続される集合ユニットであって、
モニタ、キーボード及びマウスで構成されるコンソール並びに電話機を接続可能な複数のコンソールユニットと遠隔通信を行う通信手段と、
前記複数のコンソールユニットに複合ケーブル及び電源ケーブルを介してディジーチェイン接続するための接続手段とを備えることを特徴とする集合ユニット。
【請求項９】
前記通信手段に接続され、当該通信手段の消費電流を表示する表示手段を備えることを特徴とする請求項８に記載の集合ユニット。
【請求項１０】
前記通信手段は、前記複数の情報処理装置のいずれか１つからのＲＧＢ信号に当該情報処理装置からの水平同期信号及び垂直同期信号を多重化し、前記複数のコンソールユニットのいずれか１つに送信する多重化回路と、対応するコンソールユニットに送信される信号が反射されて当該通信手段に入力されることを防止するエコーキャンセル回路と、前記マウス又は前記キーボードの操作信号を含む各種の信号を差動信号として前記対応するコンソールユニットとの間で送信又は受信する送受信回路と、前記複数の情報処理装置のいずれか１つと前記送受信回路との間で信号のＵＳＢ転送を実行するＵＳＢ遠隔コア回路と、前記多重化回路、前記エコーキャンセル回路、前記送受信回路及び前記ＵＳＢ遠隔コア回路の動作を制御する制御手段とを備えることを特徴とする請求項８又は９に記載の集合ユニット。
【請求項１１】
前記通信手段は、前記マウス又は前記キーボードからの操作信号に応じて、前記複数のコンソールユニットのそれぞれに接続される前記複数の情報処理装置を切り換える切換手段を備えることを特徴とする請求項８乃至１０のいずれか１項に記載の集合ユニット。
【請求項１２】
前記複合ケーブルは、複数のＬＡＮケーブル及び複数の電話線をまとめて１本に形成されていることを特徴とする請求項８乃至１１のいずれか１項に記載の集合ユニット。
【請求項１３】
モニタ、キーボード及びマウスで構成される複数のコンソール並びに複数の電話機をそれぞれ接続可能な複数のコンソールユニットと、
前記複数のコンソールに電気的に接続される複数の情報処理装置及び前記複数の電話機に対応する複数の電話線に接続されると共に前記複数のコンソールユニットを複合ケーブル及び電源ケーブルを介してディジーチェイン接続する集合ユニットと
を備えることを特徴とする統合システム。
【請求項１４】
複数の情報処理装置及び複数の電話機をそれぞれ接続可能な複数のコンソールユニットと、
前記複数のコンソールユニットを複合ケーブル及び電源ケーブルを介してディジーチェイン接続する集合ユニットと
を備えることを特徴とする統合システム。
【請求項１５】
前記複合ケーブルは、複数のＬＡＮケーブル及び複数の電話線をまとめて１本に形成されていることを特徴とする請求項１３又は１４に記載の統合システム。
【発明の詳細な説明】
【技術分野】
【０００１】
本発明は、ＬＡＮケーブル、電源ケーブル、電話線などの多数のケーブルを纏めるためのコンソールユニット、集合ユニット及び統合システムに関する。
【背景技術】
【０００２】
従来より、複数の機器をディジーチェイン接続する技術は知られている（例えば、特許文献１参照）。
【０００３】
また、従来のオフィス環境では、ＬＡＮケーブル、電源ケーブル、電話線などの多数のケーブルがユーザのデスク毎に敷設されている。
【特許文献１】特開２０００−１０９０２号公報
【発明の開示】
【発明が解決しようとする課題】
【０００４】
従って、オフィス内にユーザのデスクが多い場合には、大量のケーブルを敷設する必要がある。このため、専門の業者が、ケーブルを敷設する工事を行うことがある。
【０００５】
本発明の目的は、ケーブルの敷設を容易にすることができるコンソールユニット、集合ユニット及び統合システムを提供することにある。
【課題を解決するための手段】
【０００６】
上記目的を達成するため、本発明は、モニタ、キーボード及びマウスで構成されるコンソール並びに電話機を接続可能なコンソールユニットであって、複数の情報処理装置及び複数の電話線に接続される集合ユニットと遠隔通信を行う通信手段と、前記集合ユニットに複合ケーブル及び電源ケーブルを介してディジーチェイン接続するための接続手段とを備えていることを特徴とする。
【０００７】
かかる構成によれば、コンソールユニットを２種類のケーブルを介して集合ユニットにディジーチェイン接続することができるので、ケーブルの敷設を容易にすることができる。
【０００８】
好ましくは、前記複合ケーブルは、複数のＬＡＮケーブル及び複数の電話線をまとめて１本に形成されていることを特徴とする。
【０００９】
かかる構成によれば、ケーブルの本数を減らすことができる。
【００１０】
好ましくは、前記コンソールユニットが接続される集合ユニットのポート番号を表示する表示手段を備えていることを特徴とする。
【００１１】
かかる構成によれば、ユーザは、コンソールユニットが接続される集合ユニットのポート番号を把握することができる。
【００１２】
好ましくは、コンソールユニットは、前記コンソールユニットに対応する、前記集合ユニットに接続されている情報処理装置の電源のオン・オフを切り換える切換手段を備えることを特徴とする。
【００１３】
かかる構成によれば、コンソールユニットから情報処理装置の電源のオン・オフを制御することができる。
【００１４】
好ましくは、コンソールユニットは、ユーザの指紋を検出する指紋検出手段を備え、前記通信手段は、前記指紋検出手段で検出された指紋データを、前記集合ユニットを介して対応する情報処理装置に送信することを特徴とする。
【００１５】
かかる構成によれば、情報処理装置が指紋データを使ってユーザ認証を行うことができる。
【００１６】
好ましくは、コンソールユニットは、外部機器に電力を供給するためのコンセントを備えていることを特徴とする。
【００１７】
かかる構成によれば、外部機器に電力を供給することができる。
【００１８】
好ましくは、前記通信手段は、対応する情報処理装置からの多重化信号を復号化し、復号化された信号をＲＧＢ信号、水平同期信号及び垂直同期信号に分離する復号化回路と、前記集合ユニットに送信される信号が反射されて当該通信手段に入力されることを防止するエコーキャンセル回路と、前記マウス又は前記キーボードの操作信号を含む各種の信号を差動信号として前記集合ユニットとの間で送信又は受信する送受信回路と、前記マウス又は前記キーボードと前記送受信回路との間で信号のＵＳＢ転送を実行するＵＳＢ遠隔コア回路と、前記復号化回路、前記エコーキャンセル回路、前記送受信回路及び前記ＵＳＢ遠隔コア回路の動作を制御する制御手段とを備えることを特徴とする。
【００１９】
かかる構成によれば、コンソールユニットは、集合ユニットとの間で画像信号及び操作信号を含む各種の信号を通信することができる。
【００２０】
上記目的を達成するため、本発明の集合ユニットは、複数の情報処理装置及び複数の電話線に接続される集合ユニットであって、モニタ、キーボード及びマウスで構成されるコンソール並びに電話機を接続可能な複数のコンソールユニットと遠隔通信を行う通信手段と、前記複数のコンソールユニットに複合ケーブル及び電源ケーブルを介してディジーチェイン接続するための接続手段とを備えることを特徴とする。
【００２１】
かかる構成によれば、集合ユニットを２種類のケーブルを介してコンソールユニットにディジーチェイン接続することができるので、ケーブルの敷設を容易にすることができる。
【００２２】
好ましくは、集合ユニットは、前記通信手段に接続され、当該通信手段の消費電流を表示する表示手段を備えることを特徴とする。
【００２３】
かかる構成によれば、ユーザが通信手段の消費電流を把握することができる。
【００２４】
好ましくは、前記通信手段は、前記複数の情報処理装置のいずれか１つからのＲＧＢ信号に当該情報処理装置からの水平同期信号及び垂直同期信号を多重化し、前記複数のコンソールユニットのいずれか１つに送信する多重化回路と、対応するコンソールユニットに送信される信号が反射されて当該通信手段に入力されることを防止するエコーキャンセル回路と、前記マウス又は前記キーボードの操作信号を含む各種の信号を差動信号として前記対応するコンソールユニットとの間で送信又は受信する送受信回路と、前記複数の情報処理装置のいずれか１つと前記送受信回路との間で信号のＵＳＢ転送を実行するＵＳＢ遠隔コア回路と、前記多重化回路、前記エコーキャンセル回路、前記送受信回路及び前記ＵＳＢ遠隔コア回路の動作を制御する制御手段とを備えることを特徴とする。
【００２５】
かかる構成によれば、集合ユニットは、複数のコンソールユニットとの間で画像信号及び操作信号を含む各種の信号を通信することができる。
【００２６】
好ましくは、前記通信手段は、前記マウス又は前記キーボードからの操作信号に応じて、前記複数のコンソールユニットのそれぞれに接続される前記複数の情報処理装置を切り換える切換手段を備えることを特徴とする。
【００２７】
かかる構成によれば、各コンソールユニットに接続される情報処理装置を切り換えることで、各コンソールユニットは全ての情報処理装置を利用することができる。
【００２８】
好ましくは、前記複合ケーブルは、複数のＬＡＮケーブル及び複数の電話線をまとめて１本に形成されていることを特徴とする。
【００２９】
かかる構成によれば、ケーブルの本数を減らすことができる。
【００３０】
上記目的を達成するため、本発明の統合システムは、モニタ、キーボード及びマウスで構成される複数のコンソール並びに複数の電話機をそれぞれ接続可能な複数のコンソールユニットと、前記複数のコンソールに電気的に接続される複数の情報処理装置及び前記複数の電話機に対応する複数の電話線に接続されると共に前記複数のコンソールユニットを複合ケーブル及び電源ケーブルを介してディジーチェイン接続する集合ユニットとを備えることを特徴とする。
【００３１】
かかる構成によれば、複数のコンソールユニットを２種類のケーブルを介して集合ユニットにディジーチェイン接続することができるので、ケーブルの敷設を容易にすることができる。
【００３２】
上記目的を達成するため、本発明の統合システムは、複数の情報処理装置及び複数の電話機をそれぞれ接続可能な複数のコンソールユニットと、前記複数のコンソールユニットを複合ケーブル及び電源ケーブルを介してディジーチェイン接続する集合ユニットとを備えることを特徴とする。
【００３３】
かかる構成によれば、複数のコンソールユニットを２種類のケーブルを介して集合ユニットにディジーチェイン接続することができるので、ケーブルの敷設を容易にすることができる。
【００３４】
好ましくは、前記複合ケーブルは、複数のＬＡＮケーブル及び複数の電話線をまとめて１本に形成されていることを特徴とする。
【００３５】
かかる構成によれば、ケーブルの本数を減らすことができる。
【発明の効果】
【００３６】
本発明によれば、ケーブルの敷設を容易にすることができる。
【発明を実施するための最良の形態】
【００３７】
以下、図面を参照しながら本発明の実施の形態を説明する。
【００３８】
（第１の実施の形態）
図１は、本発明の第１の実施の形態に係るコンソールユニット及び集合ユニットを含む統合システムの構成図である。
【００３９】
同図において、統合システム１は、コンソールユニット１０１〜１０４、電話機１０５〜１０８、モニタ１０９〜１１２、集合ユニット１２１及びコンピュータ（ＰＣ）１２４〜１２７を備えている。コンソールユニット１０１は、複合ケーブル１１３及び電源ケーブル１１７を介してコンソールユニット１０２に接続されており、コンソールユニット１０２は、複合ケーブル１１４及び電源ケーブル１１８を介してコンソールユニット１０３に接続されており、コンソールユニット１０３は、複合ケーブル１１５及び電源ケーブル１１９を介してコンソールユニット１０４に接続されており、コンソールユニット１０１は、複合ケーブル１１６及び電源ケーブル１２０を介して集合ユニット１２１に接続されている。
【００４０】
また、コンソールユニット１０１は、机２上に設置された電話機１０５及びモニタ１０９に接続されており、コンソールユニット１０２は、机３上に設置された電話機１０６及びモニタ１１０に接続されており、コンソールユニット１０３は、机４上に設置された電話機１０７及びモニタ１１１に接続されており、コンソールユニット１０４は、机５上に設置された電話機１０８及びモニタ１１２に接続されている。各コンソールユニットは、対応する机に設置された電話機、モニタ、及びその他の機器（不図示）を接続し、これらとの間で各種の信号の入出力を行うと共にこれらの機器に電源を供給する。
【００４１】
集合ユニット１２１には、複数の電話線１２２、外部電源１２３及びＰＣ１２４〜１２７が接続されている。集合ユニット１２１は、コンソールユニット１０１〜１０４とディジーチェイン接続されている。例えば、ＰＣ１２４〜１２７は、コンソールユニット１０１〜１０４及び集合ユニット１２１を介してそれぞれモニタ１０９〜１１２に接続されている。また、電話機１０５〜１０８は、コンソールユニット１０１〜１０４及び集合ユニット１２１を介してそれぞれ複数の電話線１２２に接続されている。
【００４２】
集合ユニット１２１は、各コンソールユニットとの間で各種の信号の入出力を行うと共に各コンソールユニットに電源を供給する。また、集合ユニット１２１は、ＰＣ１２４〜１２８に画像信号＆操作信号用ケーブル１２８〜１３１を介して接続されている。
【００４３】
図２は、コンソールユニット１０４の構成図である。なお、コンソールユニット１０１〜１０３の各構成は、コンソールユニット１０４の構成と同一なので、その説明は省略する。また、コンソールユニット１０４に対応するＰＣはＰＣ１２４であるとする。
【００４４】
図２に示すように、コンソールユニット１０４は、集合ユニット１２１のコンセントと接続するインレット２１１（接続手段）、他のコンソールユニットのインレットと接続するコンセント２１２（接続手段）、ＡＣコード延長部２１４、及びメイン回路２２５を備えている。なお、インレット２１１、コンセント２１２、ＡＣコード延長部２１４及びメイン回路２２５は、コンソールユニット１０４の筐体内に全て含まれている。インレット２１１は３本の電源線２３１〜２３３を介してコンセント２１２に接続されている。
【００４５】
ＡＣコード延長部２１４は、外部機器を接続するためのコンセント２１５〜２１７、ヒューズ２１８〜２２０、ランプ２２１及びスイッチ２２２を備えている。コンセント２１５〜２１７は、ヒューズ２１８〜２２０を介して電源線２３１に接続されている。また、コンセント２１５〜２１７は、接地されている電源線２３２に接続されている。さらに、コンセント２１５〜２１７は、スイッチ２２２を介して電源線２３３に接続されている。ランプ２２１は、電源線２３１と電源線２３３との間に接続されており、コンセント２１５〜２１７に外部機器が接続される又はスイッチ２２２がオンになると点灯する。
【００４６】
メイン回路２２５は、遠隔回路２０１（通信手段）、接続端子２０２（接続手段）、ポート表示部２０３（表示手段）、ＰＣスイッチ２０４（切換手段）、指紋検出部２０５（指紋検出手段）、モニタ端子２０６、ＵＳＢ端子２０７、モジュラージャック２０８、接続端子２０９（接続手段）、及び電源部２１０を備えている。
【００４７】
遠隔回路２０１は、集合ユニット１２１に接続されているＰＣ１２４から画像信号を受信し、モニタ端子２０６に接続されているモニタ２７１に当該画像信号を出力する。また、遠隔回路２０１は、ＵＳＢ端子２０７に接続されているマウス２７２及びキーボード２７３からの操作信号を受信し、当該操作信号を接続端子２０２を介して集合ユニット１２１に接続されているＰＣ１２４に送信する。
【００４８】
接続端子２０２は、複合ケーブルを介して集合ユニット１２１の接続端子３０５（図３参照）に接続される。なお、図２では、接続端子２０２は８ポートを有するが、ポートの数はこれに限定されない。複合ケーブルは、複数のＣＡＴ５（カテゴリー５）のＬＡＮケーブル又は複数の専用ケーブル（たとえば、専用ケーブルは１０芯を有する）を束ねて構成されている。また、複合ケーブルには、複数の電話線が含まれていてもよい。
【００４９】
ポート表示部２０３は、コンソールユニット１０４が接続される集合ユニット１２１のポート番号を表示する。ＰＣスイッチ２０４は、集合ユニット１２１に接続されるＰＣの電源のオン・オフを制御する。ＰＣスイッチ２０４がオンになると、ＰＣ１２４の電源がオンになる。
【００５０】
指紋検出部２０５は、指紋検出用のセンサで構成されており、ユーザの指紋データを検出する。検出された指紋データは遠隔回路２０１からＰＣ１２４に送信され、ユーザ認証に利用される。ＰＣ１２４は、予めユーザの指紋データが登録されたデータベースを有し、指紋検出部２０５から遠隔回路２０１を介して受信した指紋データが当該データベースに登録された指紋データと一致するか否かを判別する。ＰＣ１２４は、受信した指紋データが当該データベースに登録された指紋データと一致する場合には、コンソールユニット１０４からのアクセスを許可し、受信した指紋データが当該データベースに登録された指紋データと一致しない場合には、コンソールユニット１０４からのアクセスを許可しない。
【００５１】
モジュラージャック２０８には、電話機１０５が接続されている。電話機１０５は、モジュラージャック２０８、遠隔回路２０１及び接続端子２０２を介して、集合ユニット１２１のモジュラージャック３１１（図３）に接続される電話機（不図示）と接続される。
【００５２】
接続端子２０９は、複合ケーブルを介して、他のコンソールユニットの接続端子２０２と接続される。接続端子２０２の３〜８番ポートは、接続端子２０９の１〜６番ポートにそれぞれ接続されている。
【００５３】
電源部２１０は、電力線２３１，２３３から電力を取得し、遠隔回路２０１に電力を供給する。このとき、電源部２１０は、取得した電力の電圧を変換する。
【００５４】
図３は、集合ユニット１２１の構成図である。
【００５５】
集合ユニット１２１は、遠隔回路３０１〜３０４（通信手段）、接続端子３０５（接続手段）、表示部３０６、ＰＣ接続端子３０７〜３１０、モジュラージャック３１１〜３１４、電源部３２０、コンセント３２１（接続手段）、インレット３２３、及びＡＣコード延長部３３０を備えている。これらの構成要素は、全て集合ユニット１２１の筐体内に含まれている。ＡＣコード延長部３３０は、電源線３２４〜３２６、ランプ３２７、ヒューズ３２８、及びスイッチ３２９を備えている。
【００５６】
遠隔回路３０１は、例えば、ＰＣ接続端子３０７に接続されているＰＣ１２４から画像信号を受信し、遠隔回路２０１に画像信号を送信する。また、遠隔回路３０１は、遠隔回路２０１からマウス２７２及びキーボード２７３の操作信号を受信し、ＰＣ接続端子３０７に接続されているＰＣ１２４に送信する。
【００５７】
遠隔回路３０２〜３０４は、コンソールユニット１０２〜１０４に含まれる遠隔回路２０１とそれぞれ通信する。
【００５８】
接続端子３０５は、複合ケーブルを介して、コンソールユニット１０４の接続端子２０２に接続される。なお、図３では、接続端子３０５は８ポートを有するが、ポートの数はこれに限定されない。
【００５９】
表示部３０６は、遠隔回路３０１〜３０４の各々の消費電力を表示する。ＰＣ接続端子３０７〜３１０は、図１のＰＣ１２４〜１２７をそれぞれ接続する。また、ＰＣ接続端子３０７〜３１０は、遠隔回路３０１〜３０４にそれぞれ接続されている。モジュラージャック３１１〜３１４は、接続端子３０５の２番，４番，６番，８番にそれぞれ接続されている。
【００６０】
コンセント３２１は、電源線３２４〜３２６を介してインレット３２３に接続されており、さらに、不図示の電源線を介して図２のインレット２１１に接続される。電源線３２６には、ヒューズ３２８及びスイッチ３２９が設けられている。ランプ３２７の一端は、電源線３２４に接続されており、他端はヒューズ３２８とスイッチ３２９との間の点Ａに接続されている。また、電源線３２５は接地されている。
【００６１】
インレット３２３には外部電源１２３が接続されている。外部電源１２３から供給される電力は、電源部３２０で電圧変換されて、遠隔回路３０１〜３０４にそれぞれ供給される。
【００６２】
図４は、遠隔回路２０１及び遠隔回路３０１の構成を示すブロック図である。
【００６３】
遠隔回路３０１は、エコーキャンセル回路３４１、送受信回路３４２、ＵＳＢ遠隔コア回路３４３、制御部３４４（制御手段）、及び多重化回路３４５を備えている。遠隔回路２０１は、エコーキャンセル回路２４１、送受信回路２４２、ＵＳＢ遠隔コア回路２４３、制御部２４４（接続手段）、及び復号化回路２４５を備えている。復号化回路２４５は、分離回路２４６を含む。
【００６４】
エコーキャンセル回路３４１は、ブリッジ回路で構成され、遠隔回路２０１に送信される信号が反射されて遠隔回路３０１に入力されることを防止する。送受信回路３４２は、ＲＳ４２２ドライバ又はＲＳ４８５ドライバで構成され、操作信号を含む各種の信号を差動信号として送受信回路２４２との間で送信又は受信する。ＵＳＢ遠隔コア回路３４３は、ＰＣ１２４と送受信回路３４２との間でＵＳＢ（Universal Serial Bus）転送を実行する。
【００６５】
多重化回路３４５はＰＣ１２４からのＲＧＢ信号にＰＣ１２４からの水平同期信号及び垂直同期信号を多重化し、遠隔回路２０１に出力する。例えば、Ｇ信号に水平同期信号が多重化され、Ｂ信号に垂直同期信号が多重化される。制御部３４４は、マイコンで構成されており、エコーキャンセル回路３４１、送受信回路３４２、ＵＳＢ遠隔コア回路３４３、及び多重化回路３４５に接続され、これらの動作を制御する。
【００６６】
エコーキャンセル回路２４１は、ブリッジ回路で構成され、遠隔回路３０１に送信される信号が反射されて遠隔回路２０１に入力されることを防止する。送受信回路２４２は、ＲＳ４２２ドライバ又はＲＳ４８５ドライバで構成され、操作信号を含む各種の信号を差動信号として送受信回路３４２との間で送信又は受信する。ＵＳＢ遠隔コア回路２４３は、マウス２７２又はキーボード２７３と送受信回路２４２との間でＵＳＢ（Universal Serial Bus）転送を実行する。
【００６７】
復号化回路２４５は、水平同期信号及び垂直同期信号が多重化されたＲＧＢ信号を復号化し、分離回路２４６は、復号化された信号を水平同期信号、垂直同期信号、及びＲＧＢ信号に分離し、モニタ２７１に出力する。
【００６８】
制御部２４４は、マイコンで構成されており、エコーキャンセル回路２４１、送受信回路２４２、ＵＳＢ遠隔コア回路２４３、及び復号化回路２４５に接続され、これらの動作を制御する。
【００６９】
図５は、集合ユニット１２１とコンソールユニット１０１〜１０４の接続関係を示す図である。
【００７０】
図５に示すように、集合ユニット１２１はコンソールユニット１０１〜１０４とディジーチェイン接続する。１本の複合ケーブル及び１本の電源ケーブルが２つのユニットの間を接続する。
【００７１】
図６（Ａ）は、ＡＣコード延長部２１４の第１変形例を示す図であり、図６（Ｂ）は、ＡＣコード延長部２１４の第２変形例を示す図である。
【００７２】
図６（Ａ）のＡＣコード延長部２１４は、図２のＡＣコード延長部２１４からヒューズ２１８〜２２０、ランプ２２１，スイッチ２２２を取り除いたものである。また、図６（Ｂ）のＡＣコード延長部２１４は、図６（Ａ）のＡＣコード延長部２１４にブレーカ２３５を付加している。ブレーカ２３５は電源線２３３とコンセント２１５〜２１７との間に設けられている。
【００７３】
図７（Ａ）は、図３のＡＣコード延長部３３０の第１変形例を示す図であり、図７（Ｂ）は、ＡＣコード延長部３３０の第２変形例を示す図であり、図７（Ｃ）は、図３のＡＣコード延長部３３０の第３変形例を示す図である。
【００７４】
図７（Ａ）のＡＣコード延長部３３０は、図３のＡＣコード延長部３３０からランプ３２７、ヒューズ３２８、及びスイッチ３２９を取り除いたものである。また、図７（Ｂ）のＡＣコード延長部３３０は、図７（Ａ）のＡＣコード延長部３３０にブレーカ３３１を付加している。ブレーカ３３１は電源線３２４に設けられている。図７（Ｃ）では、図７（Ａ）のＡＣコード延長部３３０が複数設けられている。このように、集合ユニット１２１は、複数のＡＣコード延長部３３０を備えていてもよい。
【００７５】
図８（Ａ）は、コンソールユニット１０４の接続端子２０２の外観構成図であり、図８（Ｂ）は、コンソールユニット１０４の接続端子２０９の外観構成図であり、図８（Ｃ）は、複合ケーブルの一例を示す図である。
【００７６】
図８（Ａ）に示すように、接続端子２０２の上側のコンソールユニット１０４の筐体には、凹部２０２ａ，２０２ｂが形成されている。複合ケーブル１１６の端部には、凹部２０２ａ，２０２ｂに挿入される凸部５１ａ，５１ｂが形成されている。これにより、複合ケーブル１１６を接続端子２０２に正確に差し込むことができる。尚、接続端子２０２の下側のコンソールユニット１０４の筐体には、凹部が形成されていない。
【００７７】
図８（Ｂ）に示すように、接続端子２０９の上側のコンソールユニット１０４の筐体には、凹部２０９ａ，２０９ｂ，２０９ｃが形成されている。複合ケーブル１１５の端部には、凹部９ａ，２０９ｂ，２０９ｃに挿入される凸部５２ａ，５２ｂ，５２ｃが形成されている。これにより、複合ケーブル１１５を接続端子２０９に正確に差し込むことができる。尚、接続端子２０２の下側のコンソールユニット１０４の筐体には、凹部が形成されていない。
【００７８】
図８（Ｃ）に示すように、複合ケーブルの一方の端部には、凸部５１ａ，５１ｂが形成されており、他方の端部には、凸部５２ａ，５２ｂ，５２ｃが形成されている。これにより、２つのコンソールユニットの接続端子間を正確に接続することができる。
【００７９】
図９は、図３の集合ユニット１２１の構成の変形例を示す図である。
【００８０】
図９の集合ユニット１２１の構成は、遠隔回路３０１〜３０４を遠隔回路３６０に置き換えている点で図３の集合ユニット１２１の構成と異なる。ここで、遠隔回路２０１及び遠隔回路３６０の構成を図１０に示す。
【００８１】
遠隔回路３６０は、スイッチング回路３４６（切換手段）を有する点で図４の遠隔回路３０１と異なる。たとえば、スイッチング回路３４６は、マウス２７２又はキーボード２７３から操作信号としてＰＣ１２４からＰＣ１２５へ切り替える切替信号（例えば、所定のホットキー）を受信すると、ＵＳＢ遠隔コア回路３４３及び多重化回路３４５の接続先をＰＣ１２４からＰＣ１２５に切り替える。また、遠隔回路３６０は、コンソールユニット１０４に含まれる遠隔回路２０１だけでなく、コンソールユニット１０１〜１０３に含まれる遠隔回路２０１にも接続される。
【００８２】
このように、遠隔回路は、各コンソールユニットに接続されるＰＣを切り替えることができる。
【００８３】
以上説明したように、本実施の形態によれば、統合システム１は、モニタ、キーボード及びマウスで構成される複数のコンソール並びに複数の電話機をそれぞれ接続可能な複数のコンソールユニット１０１〜１０４と、複数のコンソールに電気的に接続されるＰＣ１２４〜１２７及び複数の電話機１０５〜１０８に対応する複数の電話線１２２に接続されると共にコンソールユニット１０１〜１０４を複合ケーブル１１３〜１１６及び電源ケーブル１１７〜１２０を介してディジーチェイン接続する集合ユニット１２１とを備えている。
【００８４】
よって、複数のコンソールユニットを２種類のケーブルを介して集合ユニットにディジーチェイン接続することができるので、ケーブルの敷設を容易にすることができる。また、ケーブルの敷設のための天井工事や床を上げる工事などが不要になる。さらに、各コンソールユニット周辺が多数のケーブルにより煩雑になることがない。
【００８５】
（第２の実施の形態）
第２の実施の形態は、第１の実施の形態と比べて、各コンソールユニットに各ＰＣが直接接続されている点で異なる。尚、第１の実施の形態と同一の構成要素には、同一の参照番号を付し、その説明を省略する。
【００８６】
図１１は、本発明の第２の実施の形態に係るコンソールユニット及び集合ユニットを含む統合システムの構成図である。
【００８７】
図１１に示すように、第２の実施の形態に係る統合システム１ａは、コンソールユニット１０１ａ〜１０４ａ及び集合ユニット１２１ａを備えている。コンソールユニット１０１ａには、電話機１０５及びＰＣ１２７が接続されており、コンソールユニット１０２ａには、電話機１０６及びＰＣ１２６が接続されており、コンソールユニット１０３ａには、電話機１０７及びＰＣ１２５が接続されており、コンソールユニット１０４ａには、電話機１０８及びＰＣ１２４が接続されている。モニタ１０９〜１１２は、ＰＣ１２７〜１２４にそれぞれ接続されている。集合ユニット１２１ａには、複数の電話線１２２、外部電源１２３及び複数のＬＡＮケーブル１３１が接続されている。
【００８８】
統合システム１ａのその他の構成要素は、図１の統合システム１と同一である。
【００８９】
図１２は、コンソールユニット１０４ａの構成図である。なお、コンソールユニット１０１ａ〜１０３ａの各構成は、コンソールユニット１０４ａの構成と同一なので、その説明は省略する。
【００９０】
図１２のコンソールユニット１０４ａは、図２のコンソールユニット１０４からポート表示部２０３、ＰＣスイッチ２０４、指紋検出部２０５、モニタ端子２０６、ＵＳＢ端子２０７、及び電源部２１０を削除し、ＰＣ１２４を接続するためのＰＣ接続端子２７０を備えている。ＰＣ接続端子２７０は、接続端子２０２の１番ポートに接続されている。
【００９１】
コンソールユニット１０４ａのその他の構成要素は、図２のコンソールユニット１０４と同一である。
【００９２】
図１３は、集合ユニット１２１ａの構成図である。
【００９３】
図１３の集合ユニット１２１ａは、図３の集合ユニット１２１から遠隔回路３０１〜３０４、表示部３０６及び電源部３２０を削除している。ＰＣ接続端子３０７〜３１０は、接続端子３０５の１番、３番、５番、７番ポートにそれぞれ接続されている。モジュラージャック３１１〜３１４は、接続端子３０５の２番、４番、６番、８番ポートにそれぞれ接続されている。
【００９４】
集合ユニット１２１ａのその他の構成要素は、図３の集合ユニット１２１と同一である。
【００９５】
以上のコンソールユニット１０４ａ及び集合ユニット１２１ａの構成により、統合システム１ａのＰＣ１２４は、コンソールユニット１０４ａ、集合ユニット１０１ａ及びＬＡＮケーブル１３１を介して外部のネットワーク（不図示）に接続する。同様に、ＰＣ１２５〜ＰＣ１２７も、コンソールユニット１０３ａ〜１０１ａ、集合ユニット１０１ａ及びＬＡＮケーブル１３１を介して外部のネットワーク（不図示）に接続する。
【００９６】
以上説明したように、本実施の形態によれば、統合システム１ａは、複数のＰＣ１２４〜１２７及び複数の電話機１０５〜１０８をそれぞれ接続可能な複数のコンソールユニット１０１ａ〜１０４ａと、複数のコンソールユニット１０１ａ〜１０４ａを複合ケーブル１１３〜１１６及び電源ケーブル１１７〜１２０を介してディジーチェイン接続する集合ユニット１２１ａとを備えている。
【００９７】
よって、複数のコンソールユニットを２種類のケーブルを介して集合ユニットにディジーチェイン接続することができるので、ケーブルの敷設を容易にすることができる。また、ケーブルの敷設のための天井工事や床を上げる工事などが不要になる。さらに、各コンソールユニット周辺が多数のケーブルにより煩雑になることがない。
【００９８】
尚、本発明は、上述した実施の形態に限定されるものではなく、その要旨を逸脱しない範囲内で種々変形して実施することが可能である。
【図面の簡単な説明】
【００９９】
【図１】本発明の第１の実施の形態に係るコンソールユニット及び集合ユニットを含む統合システムの構成図である。
【図２】コンソールユニット１０４の構成図である。
【図３】集合ユニット１２１の構成図である。
【図４】遠隔回路２０１及び遠隔回路３０１の構成を示すブロック図である。
【図５】集合ユニット１２１とコンソールユニット１０１〜１０４の接続関係を示す図である。
【図６】（Ａ）は、ＡＣコード延長部２１４の第１変形例を示す図であり、（Ｂ）は、ＡＣコード延長部２１４の第２変形例を示す図である。
【図７】（Ａ）は、図３のＡＣコード延長部３３０の第１変形例を示す図であり、（Ｂ）は、ＡＣコード延長部３３０の第２変形例を示す図であり、（Ｃ）は、図３のＡＣコード延長部３３０の第３変形例を示す図である。
【図８】（Ａ）は、コンソールユニット１０４の接続端子２０２の外観構成図であり、（Ｂ）は、コンソールユニット１０４の接続端子２０９の外観構成図であり、（Ｃ）は、複合ケーブルの一例を示す図である。
【図９】図３の集合ユニット１２１の構成の変形例を示す図である。
【図１０】遠隔回路２０１及び遠隔回路３６０の構成を示すブロック図である。
【図１１】本発明の第２の実施の形態に係るコンソールユニット及び集合ユニットを含む統合システムの構成図である。
【図１２】コンソールユニット１０４ａの構成図である。
【図１３】集合ユニット１２１ａの構成図である。
【符号の説明】
【０１００】
１  統合システム
１０１〜１０４  コンソールユニット
１０５〜１０８  電話機
１０９〜１１２  モニタ
１１３〜１１６  複合ケーブル
１１７〜１２０  電源ケーブル
１２１  集合ユニット
１２４〜１２７  ＰＣ
２０１，３０１〜３０４  遠隔回路
２０２，２０９，３０５  接続端子
２０３  ポート表示部
２０４  ＰＣスイッチ
２０５  指紋検出部
２０６  モニタ端子
２０７  ＵＳＢ端子
【図１】
2010049370.tif 000003
【図２】
2010049370.tif 000004
【図３】
2010049370.tif 000005
【図４】
2010049370.tif 000006
【図５】
2010049370.tif 000007
【図６】
2010049370.tif 000008
【図７】
2010049370.tif 000009
【図８】
2010049370.tif 000010
【図９】
2010049370.tif 000011
【図１０】
2010049370.tif 000012
【図１１】
2010049370.tif 000013
【図１２】
2010049370.tif 000014
【図１３】
2010049370.tif 000015